(57)【要約】      （修正有）【課題】ダブルラッセル機による経編地において、ストレッチバック性と鮮明な色彩効果を発揮する衣服用に好適なリブ経編地を提供する。【解決手段】ダブルラッセル機のフロントニードル列とバックニードル列により複数ウェール単位で交互に編成された帯状体の端部同士が連結糸２，３により一体化され、各帯状体のカール現象によって波板状を成したリブ経編地１において、前記連結糸による一体化がフロントニードル列側でのみ編成された連結糸２のシンカーループと、バックニードル列側でのみ編成された連結糸３のシンカーループ同士の交錯により成している。【選択図】図１
0003190037.tif 000002
【実用新案登録請求の範囲】
【請求項１】
ダブルラッセル機のフロントニードル列とバックニードル列により複数のウェール単位で交互に編成された帯状体の端部同士が連結糸により一体化され、各帯状体のカール現象によって波板状を成したリブ経編地であって、前記連結糸による一体化がフロントニードル列側でのみ編成された連結糸のシンカーループと、バックニードル列側でのみ編成された連結糸のシンカーループ同士の交錯により成していることを特徴とするリブ経編地。
【請求項２】
前記帯状体の編成組織が、デンビー編とコード編からなるハーフ組織であること特徴とする請求項１記載のリブ経編地。
【請求項３】
フロントニードル列による帯状体の編成組織とバックニードル列による帯状体の編成組織の少なくとも一方がメッシュ組織であることを特徴とする請求項１または２記載のリブ経編地。
【請求項４】
フロントニードル列で編成された編糸とバックニードル列で編成された編糸の色が異なることを特徴とする請求項１〜３いずれか記載のリブ経編。
【考案の詳細な説明】
【技術分野】
【０００１】
本考案は、ダブルラッセル機により編成されたリブ経編地の改良、さらに詳しくは、生地のストレッチバック性に優れ、編糸の配色によって伸長時に鮮明な色彩効果を発揮させることが出来るリブ経編地に関するものである。
【背景技術】
【０００２】
ダブルラッセル機の前後のニードル列で交互に複数ウェール編成した帯状体を連結糸で一体化することにより、緯(横)編方式のリブ編地（ゴム編地）のように幅方向の切断面が波型で、幅方向に大きく伸縮する経編地が得られる。
【０００３】
例えば、特許文献１では、１本または複数本の経編ウェールからなる紐状部を前後のニードル列で交互に編成して、接結糸が前後の紐状部の端部同士が対向するウェール間を交互に編成して係合させた経編地が提案されており、同経編地は前後ニードル列間距離を大きくすることによって、幅方向に引き延ばした際に、少なくともニードル列間の距離分だけは編幅より大きく拡大させることができ、広幅化を目的としたものであり、伸縮性や意匠性は期待されていない。
【０００４】
また、特許文献２においては、前記特許文献１の基本技術を基に、紐状部の組織をデンビー編に、また、紐状部間の連結組織をダブル鎖編、またはダブルデンビー編と限定し、紐状部を形成するデンビー編のカール現象によって表側に湾曲したリブ状の表突条部と裏側に湾曲したリブ状の裏突条部が交互に並べて波板状を形成させ、幅方向に高いストレッチ性を有した経編地が提案されている。
【０００５】
同経編地の表突条部の端部と裏突条部の端部はダブル鎖編、またはダブルデンビー編で端部同士を往復しながら編目形成して強固に連結されているので、突条部におけるデンビー編の湾曲化の妨げとなり、また、突条部を成すデンビー編自体はカールし易い傾向にあるもののルーズな編構造であるために伸長時のパワーが低く、衣服への用い方によっては自重で伸び易いなど耐久性が望めない。
【０００６】
また、同経編地は、表突条部と裏突条部の編糸の色を違えることにより収縮時は表突条の色のみが視認され、伸長時には裏突条部の色が表突条部の間に出現して縦縞模様を視認することができる意匠性を有しているが、連結糸は表突条部と裏突条部の両方の端部で編目形成しているので、例えば、連結糸の色を表突条部と同色にすると収縮時には表突条部の一色であるが、伸長時においては連結部のウェール編目列で連結糸の表突条部の色と裏突条部の色と混ざった色となる。一方、逆のケースにおいては収縮時において連結部のウェール編目列で色が混じり、色彩効果において鮮明さに欠けるのが問題である。
【先行技術文献】
【特許文献】
【０００７】
【特許文献１】特開平０１−１４８８５４
【特許文献２】特開２０１０−２８５７２１
【考案の概要】
【考案が解決しようとする課題】
【０００８】
本考案は、上述した問題点を鑑みて解決しようとする課題は、ストレッチバック性と意匠性が優れた衣服用に好適なリブ経編地を提供することにある。
【課題を解決するための手段】
【０００９】
上記目的を達成するために本考案の経編地は、ダブルラッセル機のフロントニードル列とバックニードル列により複数のウェール単位で交互に編成された帯状体の端部同士が連結糸により一体化され、各帯状体のカール現象によって波板状を成したリブ経編地であって、前記連結糸による一体化がフロントニードル列側でのみ編成された連結糸のシンカーループと、バックニードル列側でのみ編成された連結糸のシンカーループ同士の交錯により成している。
【００１０】
また、前記帯状体の編成組織はデンビー編とコード編からなるハーフ組織を採用することが出来る。
【００１１】
また、フロントニードル列による帯状体の編成組織とバックニードル列による帯状体の編成組織の少なくとも一方にメッシュ組織を採用することが出来る。
【００１２】
さらにまた、フロントニードル列で編成された編糸とバックニードル列で編成された編糸の色を違えることが出来る。
【考案の効果】
【００１３】
本考案にあっては、連結糸による一体化がフロントニードル列側でのみ編成された連結糸のシンカーループと、バックニードル列側でのみで編成された連結糸のシンカーループ同士の交錯により成しており、連結部での変形が自在であるために、帯状体は連結部の影響を受けずに最大限湾曲化し、ストレッチバック性の優れたリブ経編地となり、上記の点から編糸種に関係なく高いストレッチバック性が得られるので、種々の編糸を使用することができ、市場の要求に合った風合や外観の経編地製品を提供することが出来る。
【００１４】
また、フロントニードル列で編成された編糸とバックニードル列で編成された編糸の色を違えても、連結糸は両ニードル列のどちらか一方でのみで編目形成しているので連結部で色が混じることがなく、鮮明な色彩効果が発揮出来る。
【００１５】
また、本考案の帯状体の編組織はタイトな編構造でカールし易いハーフ編組織としたので、伸長時に高いパワーが得られ、繰り返しの使用に対してもストレッチバック性が保持される。
【００１６】
また、フロントニードル列による帯状体の編成組織とバックニードル列による帯状体の編成組織の少なくとも一方にメッシュ組織を採用したので、両方をメッシュ組織すると全体に通気性を持たせることも出来るし、バックニードル列のみメッシュ組織にすれば伸長時に通気性を持たせることが出来、多様な使い方が可能となる。
【図面の簡単な説明】
【００１７】
【図１】本考案のリブ経編地の一実施例を示す編構造図である。
【図２】本考案のリブ経編地の一実施例を示す切断面を示す概略図である。
【図３】本考案のリブ経編地の一実施例を示す組織図である。
【図４】メッシュ組織を採用した本考案のリブ経編の一実施例を示す組織図である。
【考案を実施するための形態】
【００１８】
図１において、符号１は本考案の一実施例であるリブ経編地を示し、本編地はダブルラッセル機により、フロントニードル列とバックニードル列により複数のウェール単位で交互に編成された帯状体の端部同士が連結糸により一体化された経編地であって、図１中の符号ｆ１からｆ６はフロントニードル列で編成されたウェール（編目列）を示し、各ウェールは経編組織で一体化されて帯状体４を成し、また、符号ｂ１〜ｂ６はバックニードル列で編成されたウェールで前記同様に帯状体５を成し、それぞれの帯状体４、５が交互に並び、帯状体４と５の端部のウェール同士は同じ位置で対向している。
【００１９】
帯状体４、５の端部ウェールには連結糸２または３による鎖編が存在し、連結糸２による鎖編はフロントニードル列のみで編成されており、一方、連結糸３による鎖編はバックニードル列のみで編成されていて、互いに対向する位置において、連結糸２の鎖編のアンダーラップと、連結糸３の鎖編のアンダーラップ同士が交錯して各帯状体４、５が交互に連結されて繋がっている。
【００２０】
なお、前記２つの鎖編のアンダーラップ同士を交錯させて互いに対向するフロントニードルとバックニードルを連結させる本考案の経編地に適用した連結方法は、フロントニードル列へ給糸するフロント側経糸ガイド筬群とバックニードル列へ給糸するバック側経糸ガイド筬群との間に連結用としてフロント側中間経糸ガイド筬とバック側中間経糸ガイド筬の２枚を設け、そのフロント側中間経糸ガイド筬でバックニードルに連結糸を給糸させ、次のサイクルでは、バック側中間経糸ガイド筬でフロントニードルにもう一方の連結糸を給糸させることによって、２本の連結糸がフロント側とバック側を交差しながら編目形成するので、編成後においてはそれぞれのアンダーラップ同士が交錯した状態で連結される。
【００２１】
図１において、帯状体４、５は６列のウェールを示しているが、それぞれのニードル列で２列以上のウェールが編成された帯状体が交互に配列しておれば良く、例えば、帯状体を成すウェール数が４列と８列を交互配置するとか、或は、交互配列の間、またはリブ経編地１の両端耳部に形態安定した通常のダブルラッセル地が含まれていても良い。
【００２２】
そして、各帯状体４、５は、図２の切断面で示すようにフロントニードル列で編成された帯状体４は、シングル編地特有のカール現象によりシンカーループを内側に巻き込んで湾曲したリブ４ａ、４ｂ、４ｃを形成し、一方バックニードル列で編成された帯状体５は反対方向に湾曲したリブ５ａ、５ｂ、５ｃを形成して波型の断面を成している。
【００２３】
帯状体４、５を成す経編組織は幅方向にカールし易い組織であれば特に限定されないが、デンビー編とコード編からなるハーフ組織であると、編目側と反対面の最も外層にコード編の長いアンダーラップが存在するので、そのコード編糸のランナー長（供給量）を少なくするか、あるいは捲縮糸や弾性糸など用いてコード編のアンダーラップ部に引っ張り方向の力を作用させることによってカール力が増し、ストレッチバック性が優れたリブ経編地１となり、好ましい態様である。
【００２４】
本考案のリブ経編地１はアンダーラップ同士の交錯による連結法であるから、連結部は蝶番のように折れ曲がりに対して抵抗が少ないので、カール現象による湾曲変形がし易くて、ストレッチバック性に優れた経編地となり、そのような特性から使用する編糸について制限を受けることなく、例えば、ナイロン繊維、ポリエステル繊維、アクリル繊維、綿、レーヨン、ウール、シルク、高機能繊維、或はそれらの混紡糸など種々の糸を使用することが出来る。
【００２５】
また、シングル経編地のカール現象は、編目形成によって屈曲された編糸が基に復元しようとする応力によるものであるから、高いストレッチバック性を得るためには高い剛性の編糸を使用することが好ましく、例えば、単繊維繊度の高い糸の選択、或は、同じ繊維糸でも撚り加工、或は樹脂加工を施して剛性を高めることも出来る。
【００２６】
また、本考案のリブ経編地１はフロントニードル列による帯状体４の編成組織とバックニードル列による帯状体５の編成組織の少なくとも一方をメッシュ組織にすることができ、
特に、フロントニードル列による帯状体４は通常の経編地とし、バックニードル列による帯状体５をメッシュ組織にすることで収縮時には通常経編地の帯状体４によるリブ状群のみで表を成しているが、伸長時には通常経編地の帯状体４の間からメッシュ孔を有した帯状体５が現れるので、例えば、スポーツ衣料などに適用すれば、激しい運動でリブ経編地が引き延ばされた時のみにメッシュ地が現れて通気性を得ることが出来る。
【００２７】
メッシュ組織としては、メッシュ孔を有してカールし易組織であれば良く、例えばチュールメッシュ組織や、その応用組織などであり、メッシュ孔の形状や配置による意匠性も兼ね備えればより好ましい態様である。
【００２８】
本考案は、フロントニードル列で編成された帯状体４の編糸とバックニードル列で編成された帯状体５の編糸の色が異なるリブ経編地１を含み、リブ経編地１の収縮時には帯状体４の色のみが視認され、伸長時には帯状体４の色と帯状体５の色が縞模様として鮮明に視認される意匠効果が発揮される。
すなわち、本考案のリブ経編地１においては、連結糸２はフロントニードル列のみで編成させ、連結糸３はバックニードル列のみで編成させて、連結糸２、３を両ニードル列に跨って編目形成させていないので、帯状体４または５のどちらか端部に連結糸の異なる色が混じるようなことがなく、伸長時の縞模様が鮮明に視認することが出来る。
【実施例１】
【００２９】
カールマイヤー製の２４ゲージのダブルラッセル機を用い、図３に示す組織により本考案のリブ経編地を以下の方法で編成した。
【００３０】
帯状体４および５は、経糸ガイド筬Ｌ２、Ｌ３でフロントニードル列によるハーフ組織、経糸ガイド筬Ｌ６、Ｌ７でバックニードル列によるハーフ組織でそれぞれ６ウェールとして、８本の帯状体４と９本の帯状体５を交互で配置し、各帯状体の端部のウェール同士を対向させた。
【００３１】
そして、互いに対向するウェールのニードル位置に、経糸ガイド筬Ｌ４、Ｌ５にシングル鎖編の連結糸を配置させて、フロント側の経糸ガイド筬Ｌ４はバックニードル列への給糸とし、バック側の経糸ガイド筬Ｌ５はフロントニードル列へ給糸して、帯状体４と５の端部を経糸ガイド筬Ｌ４による鎖編のアンダーラップと経糸ガイド筬Ｌ５による鎖編のアンダーラップの交錯により連結させたリブ経編地１とし、そのリブ経編地１の両端にアンダーラップを交錯させた経糸ガイド筬Ｌ４のシングル鎖編と経糸ガイド筬Ｌ５のシングル鎖編を経糸ガイド筬Ｌ１の挿入組織でつないだ５ウェール分のカールしない耳組織を形成させた。
【００３２】
なお、各経糸ガイドに挿通した糸使いは表１に示す通りで、編成コース密度２９コース/ｉｎｃｈで、得られたリブ経編地は、帯状体４または５の端部ウェールに２色の色が混じることがなく、伸長時には帯状体４と５による鮮明な縞模様が視認出来、また、優れたストレッチバック性も確認された。
【００３３】
【表１】
0003190037.tif 000003
【実施例２】
【００３４】
実施例１のリブ経編地に対して、帯状体５にメッシュ組織を採用した図４に示す組織図で本考案リブ経編地を編成した結果、実施例１のリブ経編地と同様に、ストレッチバック性が優れており、伸長時おける帯状体４と５の色違いによる鮮明な縞模様も視認され、同時にメッシュ地による通気性と意匠性を併せ持つ経編地であることが確認できた。
【００３５】
なお、実施例２においては、各帯状体４、５の左右で編成される連結糸の組織を対称とする目的で、帯状体５のメッシュ組織側で編成される連結糸は経糸ガイドＬ４とＬ５に、一方、帯状体４側で編成される連結糸は経糸ガイドＬ６とＬ７に分けて挿通し、耳組織は経糸ガイドＬ３、Ｌ８によるダブルデンビー編に変更、そして各要素の糸使いは実施例１と同じにした。
【産業上の利用可能性】
【００３６】
鮮明な色彩効果を発揮する意匠性を有していることから衣服などへの適用が可能であり、さらには、メッシュ地を採用することで通気性も付与させることができることから動きの激しいスポーツ衣料などに好適な材料となる。
【符号の説明】
【００３７】
１：本考案のリブ経編地
２：フロントニードル列側の連結糸
３：バックニードル列側の連結糸
４ａ、４ｂ、４ｃ：フロントニードル列側の帯状体からなるリブ
５ａ、５ｂ、５ｃ：バックニードル列側の帯状体からなるリブ
【図１】
0003190037.tif 000004
【図２】
0003190037.tif 000005
【図３】
0003190037.tif 000006
【図４】
0003190037.tif 000007